(57)【要約】  本開示の実施態様は、現在の端末設定調節方法における増加されたユーザ操作複雑さの問題を解決するように、端末設定パラメータ調節方法および装置を提供する。この方法は、端末におけるアプリケーションプログラムが開始された後、端末のディスプレイエリアに設定制御を表示するステップと、設定制御が、コール命令を受信した後、第1の設定パラメータの現在のパラメータ値を、第1の設定パラメータのものであり、かつアプリケーションプログラムが実行している場合に使用されるべきである直近のパラメータ値へ修正するステップであって、ここで、第1の設定パラメータは、端末設定パラメータにおけるものであり、かつそのパラメータ値が、アプリケーションプログラムが開始された後に修正される必要がある設定パラメータである、修正するステップと、アプリケーションプログラムを出た場合、第1の設定パラメータの現在のパラメータ値を、第1の設定パラメータのものであり、かつアプリケーションプログラムが開始される前に取得されたパラメータ値へ修正するステップとを含む。
2018502374.tif 000002
【特許請求の範囲】
【請求項１】
端末設定パラメータ調節方法であって、
端末におけるアプリケーションプログラムが開始された後、前記端末のディスプレイエリアに設定制御を表示するステップと、
前記設定制御が、コール命令を受信した後、第1の設定パラメータの現在のパラメータ値を、前記第1の設定パラメータのものであり、かつ前記アプリケーションプログラムが実行している場合に使用されるべきである直近のパラメータ値へ修正するステップであって、前記第1の設定パラメータは、端末設定パラメータにおけるものであり、かつそのパラメータ値が、前記アプリケーションプログラムが開始された後に修正される必要がある設定パラメータである、修正するステップと、
前記アプリケーションプログラムを出た場合、前記第1の設定パラメータの現在のパラメータ値を、前記第1の設定パラメータのものであり、かつ前記アプリケーションプログラムが開始される前に取得された前記パラメータ値へ修正するステップと、を備える方法。
【請求項２】
前記アプリケーションプログラムを出た場合、前記第1の設定パラメータがディスプレイ輝度であれば、前記第1の設定パラメータの現在のパラメータ値を、前記第1の設定パラメータのものであり、かつ前記アプリケーションプログラムが開始される前に取得された前記パラメータ値へ修正するステップは、特に、
あらかじめ設定された輝度調節ステップ値に従って、前記端末の現在のディスプレイ輝度の輝度値を、前記端末のものであり、かつ前記アプリケーションプログラムが開始される前に取得されたディスプレイ輝度の輝度値へ調節するステップを備える、請求項1に記載の方法。
【請求項３】
前記方法はさらに、
前記設定制御が、パラメータ値を増加させるための命令を受信した後、前記端末設定パラメータにおける唯一の設定パラメータのパラメータ値が、前記アプリケーションプログラムが開始された後に修正される必要があることが判定されると、そのパラメータ値が修正される必要がある前記設定パラメータの前記パラメータ値を増加させるステップ、または、
前記設定制御が、パラメータ値を減少させるための命令を受信した後、前記端末設定パラメータにおける唯一の設定パラメータのパラメータ値が、前記アプリケーションプログラムが開始された後に修正される必要があることが判定されると、そのパラメータ値が修正される必要がある前記設定パラメータの前記パラメータ値を減少させるステップを備える、請求項1に記載の方法。
【請求項４】
前記方法はさらに、
前記設定制御が、修正命令を受信した後、パラメータユーザ定義設定スクリーンを表示するステップであって、前記パラメータユーザ定義設定スクリーンは、前記端末設定パラメータにおけるものであり、かつそのパラメータ値が、前記アプリケーションプログラムが開始された後に修正される必要がある前記設定パラメータと、前記アプリケーションプログラムが実行する場合に使用されるパラメータ値とを表示する、表示するステップと、
前記パラメータユーザ定義設定スクリーンが、パラメータ値が修正される必要のある前記設定パラメータのうちの1つの設定パラメータのパラメータ値を受信した後、前記受信したパラメータ値を、前記設定パラメータのものであり、かつ前記アプリケーションプログラムが実行している場合に使用されるべき直近のパラメータ値として使用し、前記パラメータ値を保存するステップとを備える、請求項1に記載の方法。
【請求項５】
前記パラメータユーザ定義設定スクリーンを表示するステップの後、前記方法はさらに、
前記パラメータユーザ定義設定スクリーンが、追加命令を受信した後、設定パラメータを追加するためのスクリーンを表示するステップと、
設定パラメータを追加するための前記スクリーンを使用することによって、第2の設定パラメータおよびパラメータ値を受信し、前記受信したパラメータ値を、前記第2の設定パラメータのものであり、かつ前記アプリケーションプログラムが開始された後に取得された直近のパラメータ値として使用するステップと、
前記受信した第2の設定パラメータと、前記第2の設定パラメータのものであり、かつ前記アプリケーションプログラムが開始された後に取得された前記直近のパラメータ値とを保存するステップとを備える、請求項4に記載の方法。
【請求項６】
パラメータユーザ定義設定スクリーンを表示する前記ステップの後、前記方法はさらに、
前記パラメータユーザ定義設定スクリーンが、削除命令を受信した後、設定パラメータを削除するためのスクリーンを表示するステップと、
設定パラメータを削除するための前記スクリーンを使用することによって、削除されるべき設定パラメータを受信するステップであって、前記削除されるべき設定パラメータは、前記端末設定パラメータにおけるものであり、かつそのパラメータ値が、前記アプリケーションプログラムが開始された後に修正される必要がある設定パラメータから削除される必要がある設定パラメータである、受信するステップと、
設定パラメータを削除するための前記スクリーンを使用することによって受信された前記削除されるべき設定パラメータを、前記端末設定パラメータにおけるものであり、かつそのパラメータ値は、前記アプリケーションプログラムが開始された後に修正される必要のある前記設定パラメータから削除するステップとを備える、請求項4に記載の方法。
【請求項７】
端末設定パラメータ調節装置であって、
端末におけるアプリケーションプログラムが開始された後、前記端末のディスプレイエリアに設定制御を表示するように構成されたディスプレイモジュールと、
前記設定制御が、コール命令を受信した後、第1の設定パラメータの現在のパラメータ値を、前記第1の設定パラメータのものであり、かつ前記アプリケーションプログラムが実行している場合に使用されるべきである直近のパラメータ値へ修正するように構成された修正モジュールであって、前記第1の設定パラメータは、端末設定パラメータにおけるものであり、かつそのパラメータ値が、前記アプリケーションプログラムが開始された後に修正される必要がある設定パラメータである、修正モジュールと、
前記アプリケーションプログラムを出た場合、前記第1の設定パラメータの現在のパラメータ値を、前記第1の設定パラメータのものであり、かつ前記アプリケーションプログラムが開始される前に取得された前記パラメータ値へ修正するように構成された復元モジュールと、を備える装置。
【請求項８】
前記復元モジュールは特に、
前記アプリケーションプログラムを出た場合、前記第1の設定パラメータがディスプレイ輝度であれば、あらかじめ設定された輝度調節ステップ値に従って、前記端末の現在のディスプレイ輝度の輝度値を、前記端末のものであり、かつ前記アプリケーションプログラムが開始される前に取得されたディスプレイ輝度の輝度値へ調節するように構成された、請求項7に記載の装置。
【請求項９】
前記装置はさらに、第1のユーザ定義設定モジュールを備え、前記第1のユーザ定義設定モジュールは、
前記設定制御が、パラメータ値を増加させるための命令を受信した後、前記端末設定パラメータにおける唯一の設定パラメータのパラメータ値が、前記アプリケーションプログラムが開始された後に修正される必要があることが判定されると、そのパラメータ値が修正される必要がある前記設定パラメータの前記パラメータ値を増加させ、または、前記設定制御が、パラメータ値を減少させるための命令を受信した後、前記端末設定パラメータにおける唯一の設定パラメータのパラメータ値が、前記アプリケーションプログラムが開始された後に修正される必要があることが判定されると、そのパラメータ値が修正される必要がある前記設定パラメータの前記パラメータ値を減少させるように構成された、請求項7に記載の方法。
【請求項１０】
前記装置はさらに、第2のユーザ定義設定モジュールを備え、前記第2のユーザ定義設定モジュールは、
前記設定制御が、修正命令を受信した後、パラメータユーザ定義設定スクリーンを表示するように構成され、前記パラメータユーザ定義設定スクリーンは、前記端末設定パラメータにおけるものであり、かつそのパラメータ値が、前記アプリケーションプログラムが開始された後に修正される必要がある設定パラメータと、前記アプリケーションプログラムが実行している場合に使用されるパラメータ値とを表示し、前記第2のユーザ定義設定モジュールはさらに、前記パラメータユーザ定義設定スクリーンが、そのパラメータ値が修正される必要のある前記設定パラメータのうちの1つの設定パラメータのパラメータ値を受信した後、前記受信したパラメータ値を、前記設定パラメータのものであり、かつ前記アプリケーションプログラムが実行した場合に使用されるべき直近のパラメータ値として使用し、前記パラメータ値を保存するように構成された、請求項7に記載の方法。
【請求項１１】
前記第2のユーザ定義設定モジュールはさらに、
前記パラメータユーザ定義設定スクリーンが表示され、前記パラメータユーザ定義設定スクリーンが追加命令を受信した後、設定パラメータを追加するためのスクリーンを表示し、設定パラメータを追加するための前記スクリーンを使用することによって、第2の設定パラメータおよびパラメータ値を受信し、前記受信したパラメータ値を、前記第2の設定パラメータのものであり、かつ前記アプリケーションプログラムが開始された後に取得された直近のパラメータ値として使用し、前記受信した第2の設定パラメータと、前記第2の設定パラメータのものであり、かつ前記アプリケーションプログラムが開始された後に取得された前記直近のパラメータ値とを保存するように構成された、請求項10に記載の方法。
【請求項１２】
前記第2のユーザ定義設定モジュールはさらに、
前記パラメータユーザ定義設定スクリーンが表示され、前記パラメータユーザ定義設定スクリーンが削除命令を受信した後、設定パラメータを削除するためのスクリーンを表示し、設定パラメータを削除するための前記スクリーンを使用することによって、削除されるべき設定パラメータを受信するように構成され、前記削除されるべき設定パラメータは、前記端末設定パラメータにおけるものであり、かつそのパラメータ値が、前記アプリケーションプログラムが開始された後に修正される必要がある設定パラメータから削除される必要のある設定パラメータであり、前記第2のユーザ定義設定モジュールはさらに、設定パラメータを削除するための前記スクリーンを使用することによって受信された前記削除されるべき設定パラメータを、前記端末設定パラメータにおけるものであり、かつそのパラメータ値が、前記アプリケーションプログラムが開始された後に修正される必要のある前記設定パラメータから削除するように構成された、請求項10に記載の方法。
【発明の詳細な説明】
【技術分野】
【０００１】
本開示は、コンピュータ技術の分野に関し、特に、端末設定パラメータ調節方法および装置に関する。
【背景技術】
【０００２】
現在、ますます増強されたモバイルチップの処理能力は、より高いディスプレイ解像度およびより大きなスクリーンサイズをもたらす。しかしながら、バッテリ技術の発達は、この開発速度と歩調を合わせることができない。したがって、モバイル端末の設計において、スクリーン輝度、自動スクリーンオフをトリガするためのタイムリミット、プラットフォーム実行周波数等は、製品のバッテリ寿命を向上するように、可能な限り低減される。
【０００３】
使用処理において、ユーザは、たとえば、屋外で写真を撮影する場合に、スクリーンがもっと輝くと期待するか、または、電子メールをチェックする場合に、自動的に頻繁にスリープしないことを期待する。これらのケースでは、設定を修正するために、ユーザは、一般に、現在のタスクを保留し、その後、設定を修正するために、システム設定スクリーンに入る必要がある。この全体的な処理は、比較的複雑である。それに加えて、設定が修正された後、モバイル端末は常に、修正された設定に従って実行し、モバイル端末のバッテリ寿命が悪影響を受ける。設定がより迅速に修正される必要があるいくつかのシナリオでは、ユーザは、通常、ステップ毎に設定を完了した後、決定的な時間を逃してしまう。
【０００４】
既存の端末設定調節方法を使用することによって、端末の設定が、調節される必要があるのであれば、アプリケーションプログラムが開始された後、アプリケーションプログラムの最適な実行効果を達成するために、アプリケーションプログラムのスクリーンを出る必要があり、修正がシステム設定スクリーン上で実行され、その後、アプリケーションプログラムのスクリーンが再表示される。しかしながら、アプリケーションプログラムを出た場合、システム設定スクリーンが、端末の設定を修正するために再表示されないのであれば、端末のバッテリ寿命が短縮され得、アプリケーションプログラムの実行処理において、端末のバッテリ寿命を向上するため、端末の設定を修正するためにシステム設定スクリーンが再表示されるのであれば、端末の設定を修正するために、システム設定スクリーンに繰り返し入力することは非常に煩わしい。
【０００５】
結論として、既存の端末設定調整方法を使用することによって、端末の設定を修正するため、システム設定スクリーンに入るために、アプリケーションプログラムのスクリーンを繰り返し出る必要があり、これによって、端末においてアプリケーションプログラムが開始された後、端末におけるアプリケーションプログラムの最適な実行効果が達成され、それに加えて、端末のバッテリ寿命に対するインパクトが、可能な限り低減される。したがって、ユーザ操作複雑さが増加される。
【発明の概要】
【課題を解決するための手段】
【０００６】
本開示の実施形態は、現在の端末設定調節方法における、増加されたユーザ操作複雑さの問題を解決するような、端末設定パラメータ調節方法および装置を提供する。
【０００７】
第1の態様に従って、
端末におけるアプリケーションプログラムが開始された後、端末のディスプレイエリアに設定制御を表示するステップと、
設定制御が、コール命令を受信した後、第1の設定パラメータの現在のパラメータ値を、第1の設定パラメータのものであり、かつアプリケーションプログラムが実行している場合に使用されるべきである直近のパラメータ値へ修正するステップであって、第1の設定パラメータは、端末設定パラメータにおけるものであり、かつそのパラメータ値は、アプリケーションプログラムが開始された後に修正される必要がある設定パラメータである、修正するステップと、
アプリケーションプログラムを出た場合、第1の設定パラメータの現在のパラメータ値を、第1の設定パラメータのものであり、かつアプリケーションプログラムが開始される前に取得されたパラメータ値へ修正するステップと、
を含む端末設定パラメータ調節方法が提供される。
【０００８】
第1の態様を参照して示すように、第1の可能な実施方式では、アプリケーションプログラムを出た場合、第1の設定パラメータが、ディスプレイ輝度であれば、第1の設定パラメータの現在のパラメータ値を、第1の設定パラメータのものであり、かつアプリケーションプログラムが開始される前に取得されたパラメータ値へ修正するステップは、特に、
あらかじめ設定された輝度調節ステップ値に従って、端末の現在のディスプレイ輝度の輝度値を、端末のものであり、かつアプリケーションプログラムが開始される前に取得されたディスプレイ輝度の輝度値へ調節するステップを含む。
【０００９】
第1の態様を参照して示すように、第2の可能な実施方式では、この方法はさらに、
設定制御が、パラメータ値を増加させるための命令を受信した後、端末設定パラメータにおける唯一の設定パラメータのパラメータ値が、アプリケーションプログラムが開始された後に修正される必要があることが判定されると、そのパラメータ値が修正される必要がある設定パラメータのパラメータ値を増加させるステップ、または、
設定制御が、パラメータ値を減少させるための命令を受信した後、端末設定パラメータにおける唯一の設定パラメータのパラメータ値が、アプリケーションプログラムが開始された後に修正される必要があることが判定されると、そのパラメータ値が修正される必要がある設定パラメータのパラメータ値を減少させるステップを含む。
【００１０】
第1の態様を参照して示すように、第3の可能な実施方式では、この方法はさらに、
設定制御が、修正命令を受信した後、パラメータユーザ定義設定スクリーンを表示するステップであって、ここで、パラメータユーザ定義設定スクリーンは、端末設定パラメータにおけるものであり、かつそのパラメータ値が、アプリケーションプログラムが開始された後に修正される必要がある設定パラメータと、アプリケーションプログラムが実行している場合に使用されるパラメータ値とを表示する、表示するステップと、
パラメータユーザ定義設定スクリーンが、パラメータ値が修正される必要のある設定パラメータのうちの1つの設定パラメータのパラメータ値を受信した後、受信したパラメータ値を、設定パラメータのものであり、かつアプリケーションプログラムが実行している場合に使用されるべき直近のパラメータ値として使用し、パラメータ値を保存するステップとを含む。
【００１１】
第1の態様の第3の可能な実施方式を参照して示すように、第4の可能な実施方式では、パラメータユーザ定義設定スクリーンを表示した後、この方法はさらに、
パラメータユーザ定義設定スクリーンが、追加命令を受信した後、設定パラメータを追加するためのスクリーンを表示するステップと、
設定パラメータを追加するためのスクリーンを使用することによって、第2の設定パラメータおよびパラメータ値を受信し、受信したパラメータ値を、第2の設定パラメータのものであり、かつアプリケーションプログラムが開始された後に取得された直近のパラメータ値として使用するステップと、
受信した第2の設定パラメータと、第2の設定パラメータのものであり、かつアプリケーションプログラムが開始された後に取得された直近のパラメータ値とを保存するステップとを含む。
【００１２】
第1の態様の第3の可能な実施方式を参照して示すように、第5の可能な実施方式では、パラメータユーザ定義設定スクリーンを表示した後、この方法はさらに、
パラメータユーザ定義設定スクリーンが、削除命令を受信した後、設定パラメータを削除するためのスクリーンを表示するステップと、
設定パラメータを削除するためのスクリーンを使用することによって、削除されるべき設定パラメータを受信するステップであって、削除されるべき設定パラメータは、端末設定パラメータにおけるものであり、かつそのパラメータ値が、アプリケーションプログラムが開始された後に修正される必要がある、設定パラメータから削除される必要のある設定パラメータである、受信するステップと、
設定パラメータを削除するためのスクリーンを使用することによって受信された、削除されるべき設定パラメータを、端末設定パラメータにおけるものであり、かつそのパラメータ値が、アプリケーションプログラムが開始された後に修正される必要のある設定パラメータから削除するステップとを含む。
【００１３】
第2の態様に従って、
端末においてアプリケーションプログラムが開始された後、端末のディスプレイエリアにおいて設定制御を表示するように構成されたディスプレイモジュールと、
設定制御が、コール命令を受信した後、第1の設定パラメータの現在のパラメータ値を、第1の設定パラメータのものであり、かつアプリケーションプログラムが実行している場合に使用されるべきである直近のパラメータ値へ修正するように構成された修正モジュールであって、第1の設定パラメータは、端末設定パラメータにおけるものであり、かつそのパラメータ値は、アプリケーションプログラムが開始された後に修正される必要がある設定パラメータである、修正モジュールと、
アプリケーションプログラムを出た場合、第1の設定パラメータの現在のパラメータ値を、第1の設定パラメータのものであり、かつアプリケーションプログラムが開始される前に取得されたパラメータ値へ修正するように構成された復元モジュールと、を含む端末設定パラメータ調節方法が提供される。
【００１４】
第2の態様を参照して、第1の可能な実施方式では、復元モジュールは、特に、
アプリケーションプログラムを出た場合、第1の設定パラメータが、ディスプレイ輝度であれば、あらかじめ設定された輝度調節ステップ値に従って、端末の現在のディスプレイ輝度の輝度値を、端末のものであり、かつアプリケーションプログラムが開始される前に取得されたディスプレイ輝度の輝度値へ調節するように構成される。
【００１５】
第2の態様を参照して示すように、第2の可能な実施方式では、この装置はさらに、第1のユーザ定義設定モジュールを含み、第1のユーザ定義設定モジュールは、
設定制御が、パラメータ値を増加させるための命令を受信した後、端末設定パラメータにおける唯一の設定パラメータのパラメータ値が、アプリケーションプログラムが開始された後に修正される必要があることが判定されると、そのパラメータ値が修正される必要がある設定パラメータのパラメータ値を増加させ、または、設定制御が、パラメータ値を減少させるための命令を受信した後、端末設定パラメータにおける唯一の設定パラメータのパラメータ値が、アプリケーションプログラムが開始された後に修正される必要があることが判定されると、そのパラメータ値が修正される必要がある設定パラメータのパラメータ値を減少させるように構成される。
【００１６】
第2の態様を参照して示すように、第3の可能な実施方式では、装置はさらに、第2のユーザ定義設定モジュールを含み、第2のユーザ定義設定モジュールは、
設定制御が、修正命令を受信した後、パラメータユーザ定義設定スクリーンを表示するように構成され、ここで、パラメータユーザ定義設定スクリーンは、端末設定パラメータにおけるものであり、かつそのパラメータ値が、アプリケーションプログラムが開始された後に修正される必要がある設定パラメータと、アプリケーションプログラムが実行している場合に使用されるパラメータ値とを表示し、第2のユーザ定義設定モジュールはさらに、パラメータユーザ定義設定スクリーンが、パラメータ値が修正される必要のある設定パラメータのうちの1つの設定パラメータのパラメータ値を受信した後、受信したパラメータ値を、設定パラメータのものであり、かつアプリケーションプログラムが実行している場合に使用されるべき直近のパラメータ値として使用し、パラメータ値を保存するように構成される。
【００１７】
第2の態様の第3の可能な実施方式を参照して示すように、第4の可能な実施方式では、第2のユーザ定義設定モジュールはさらに、
パラメータユーザ定義設定スクリーンが表示され、パラメータユーザ定義設定スクリーンが追加命令を受信した後、設定パラメータを追加するためのスクリーンを表示し、設定パラメータを追加するためのスクリーンを使用することによって、第2の設定パラメータおよびパラメータ値を受信し、受信したパラメータ値を、第2の設定パラメータのものであり、かつアプリケーションプログラムが開始された後に取得された直近のパラメータ値として使用し、受信した第2の設定パラメータと、第2の設定パラメータのものであり、かつアプリケーションプログラムが開始された後に取得された直近のパラメータ値とを保存するように構成される。
【００１８】
第2の態様の第3の可能な実施方式を参照して示すように、第5の可能な実施方式では、第2のユーザ定義設定モジュールはさらに、
パラメータユーザ定義設定スクリーンが表示され、パラメータユーザ定義設定スクリーンが削除命令を受信した後、設定パラメータを削除するためのスクリーンを表示し、設定パラメータを削除するためのスクリーンを使用することによって、削除されるべき設定パラメータを受信するように構成され、削除されるべき設定パラメータは、端末設定パラメータにおけるものであり、かつそのパラメータ値は、アプリケーションプログラムが開始された後に修正される必要がある設定パラメータから削除される必要がある設定パラメータであり、第2のユーザ定義設定モジュールはさらに、設定パラメータを削除するためのスクリーンを使用することによって受信された、削除されるべき設定パラメータを、端末設定パラメータにおけるものであり、かつそのパラメータ値は、アプリケーションプログラムが開始された後に修正される必要のある設定パラメータから削除する、ように構成される。
【発明の効果】
【００１９】
本開示の実施形態の有益な効果は、以下を含む。
【００２０】
本開示の実施形態において提供される端末設定パラメータ調節方法および装置に従って、端末におけるアプリケーションプログラムが開始された後、設定制御が、端末のディスプレイエリアにおいて表示される。設定制御が、コール命令を受信した後、端末設定パラメータの現在のパラメータ値が、アプリケーションプログラムが実行している場合に使用されるべきパラメータ値へ修正され、これによって、端末におけるアプリケーションプログラムの最適な実行効果が達成される。アプリケーションプログラムを出た場合、端末設定パラメータの現在のパラメータ値が、アプリケーションプログラムが開始される前に取得されたパラメータ値へ修正され、これによって、端末のバッテリ寿命が保証される。それに加えて、この方法に従って、端末設定修正のためのシステム設定スクリーンに入るために、アプリケーションプログラムのスクリーンを繰り返し出る必要はない。したがって、ユーザ操作複雑さが低減され、ユーザ操作利便性が向上する。
【図面の簡単な説明】
【００２１】
【図１】本開示の実施形態に従う端末設定パラメータ調節方法のフローチャート1である。
【図２】本開示の実施形態に従う端末設定パラメータ調節方法のフローチャート2である。
【図３】本開示の実施形態に従うユーザ定義設定パラメータ修正のフローチャート1である。
【図４】本開示の実施形態に従うユーザ定義設定パラメータ修正のフローチャート2である。
【図５】本開示の実施形態に従うユーザ定義設定パラメータ修正のフローチャート3である。
【図６】本開示の実施形態に従う端末設定パラメータ調節装置の概要構成図1である。
【図７】本開示の実施形態に従う端末設定パラメータ調節装置の概要構成図2である。
【図８】本開示の実施形態に従う端末設定パラメータ調節装置の概要構成図3である。
【発明を実施するための形態】
【００２２】
本開示の実施形態は、端末設定パラメータ調節方法および装置を提供する。端末においてアプリケーションプログラムが開始された後、端末のディスプレイエリアにおいて設定制御が表示される。端末は、表示された設定制御に従ってコール命令を受信し得、端末設定パラメータのパラメータ値を修正し、これによって、端末におけるアプリケーションプログラムの最適な実行効果が達成されるようになる。それに加えて、アプリケーションプログラムを出た場合、端末設定パラメータのパラメータ値が、アプリケーションプログラムが開始される前に取得されたパラメータ値へ復元され、これによって、端末のバッテリ寿命が保証されるようになる。それに加えて、方法は、端末によって自動的に実行され、ユーザは、端末設定修正のためのシステム設定スクリーンに入るために、アプリケーションプログラムのスクリーンを繰り返し出る必要はない。したがって、ユーザ操作複雑さが低減され、ユーザ操作利便性が向上する。
【００２３】
本開示の実施形態における端末は、モバイル電話、タブレットコンピュータ、パーソナルコンピュータ、または別の電子デバイスであり得る。端末は、内部動作処理ユニット、記憶モジュール、ディスプレイドライバユニット、ディスプレイモジュール、入力モジュール等を備える。内部動作処理ユニットは、主に、プログラム実行を担当する。記憶モジュールは、プログラム、データ、コンフィギュレーションパラメータ等の保存を担当する。ディスプレイドライバユニットは、ディスプレイモジュールの駆動を制御する。入力モジュールは、入力命令を受信する。
【００２４】
本開示の実施形態は、端末設定パラメータ調節方法を提供する。図1に図示されるように、この方法は、以下のステップを含む。
【００２５】
S101。端末においてアプリケーションプログラムが開始された後、端末のディスプレイエリアに、設定制御を表示する。
【００２６】
設定制御は、浮動制御であり得る。浮動制御は、自動的に隠蔽され得るか、または、浮動制御の透過性が自動的に調節され得る。このように、アプリケーションプログラムのスクリーンのディスプレイは、影響されないことがあり得る。端末のディスプレイエリアに、設定制御が表示される。アプリケーションプログラムは、パラメータ設定スレッドを生成し得る。このように、各アプリケーションプログラムは、パラメータ設定機能を有する必要がある。あるいは、アプリケーションプログラムは、パラメータ設定スレッドをコールし得る。このように、各アプリケーションプログラムは、パラメータ設定機能を有する必要はなく、各アプリケーションプログラムは、パラメータ設定スレッドをコールする機能を単に有していればよい。パラメータ設定スレッドは、アプリケーションプログラムに対応するパラメータ値を生成および使用し、設定制御をディスプレイエリアに表示することを担当する。
【００２７】
S102。設定制御がコール命令を受信した後、第1の設定パラメータの現在のパラメータ値を、第1の設定パラメータのものであり、かつアプリケーションプログラムが実行している場合に使用されるべき直近のパラメータ値へ修正する。
【００２８】
コール命令は、設定制御をタップすること、設定制御をダブルタップすること、設定制御をタッチし保持すること、設定制御をタッチすること等であり得る。
【００２９】
第1の設定パラメータは、端末設定パラメータにおけるものであり、かつそのパラメータ値は、アプリケーションプログラムが開始された後に修正される必要がある設定パラメータである。S102は、端末設定パラメータにおけるものであり、かつそのパラメータ値が修正される必要がある、設定パラメータにおける各設定パラメータのパラメータ値が、アプリケーションプログラムが実行している場合に使用されるべき直近のパラメータ値へ修正されるまで、繰り返し実行される。
【００３０】
第1の設定パラメータのものであり、かつアプリケーションプログラムが実行している場合に使用されるべきである直近のパラメータ値が、アプリケーションプログラムが実行する前にあらかじめ設定され得る。
【００３１】
アプリケーションプログラムが開始された後、端末設定パラメータにおけるものであり、かつそのパラメータ値が修正される必要がある設定パラメータを修正するステップは、プログラム実行中に、端末におけるアプリケーションプログラムの実行効果を向上するために、設定パラメータのパラメータ値を修正するステップと、アプリケーションプログラムを出た場合、すなわち、端末が、別のアプリケーションシナリオに入った場合、バッテリ寿命を向上するように、設定パラメータを、電力消費量を低減することを助けるパラメータ値へ再保存するステップとを含む。そのパラメータ値が修正される必要のある1つまたは複数の設定パラメータが存在し得る。たとえば、電子メールチェック中に、端末の自動スクリーンオフをトリガするためのタイムリミットが延長されるか、または、自動的なスクリーンオフがキャンセルされ、写真撮影中、ディスプレイ輝度が強められ、ゲームプレイ中、端末における内部動作処理ユニットの実行速度における制限がキャンセルされる。
【００３２】
S103。アプリケーションプログラムを出た場合、第1の設定パラメータの現在のパラメータ値を、第1の設定パラメータのものであり、かつアプリケーションプログラムが開始される前に取得されたパラメータ値へ修正する。S103は、端末設定パラメータにおけるものであり、かつそのパラメータ値が修正される必要がある設定パラメータにおける各設定パラメータのパラメータ値が、アプリケーションプログラムが開始される前に取得されたパラメータ値へ再保存されるまで、繰り返し実行される。
【００３３】
好適には、図2に図示されるように、アプリケーションプログラムを出た場合、第1の設定パラメータがディスプレイ輝度であれば、S103は、特に、以下を含む。
【００３４】
S201。あらかじめ設定された輝度調節ステップ値に従って、端末の現在のディスプレイ輝度の輝度値を、端末のものであり、かつアプリケーションプログラムが開始される前に取得されたディスプレイ輝度の輝度値へ調節し、これによって、ディスプレイ輝度は、アプリケーションプログラムが開始される前に取得されたディスプレイ輝度へ徐々に再保存されるようになる。端末設定パラメータにおけるものであり、かつそのパラメータ値が修正される必要がある設定パラメータにおけるディスプレイ輝度を除く各設定パラメータのパラメータ値が、アプリケーションプログラムが開始される前に取得されたパラメータ値へ再保存される。
【００３５】
オプションとして、本開示のこの実施形態において提供された端末設定パラメータ調節方法はさらに、
設定制御が、パラメータ値を増加させるための命令を受信した後、端末設定パラメータにおける唯一の設定パラメータのパラメータ値が、アプリケーションプログラムが開始された後に修正される必要があることが判定されると、そのパラメータ値が修正される必要がある設定パラメータのパラメータ値を増加させるステップ、または、
設定制御が、パラメータ値を減少させるための命令を受信した後、端末設定パラメータにおける唯一の設定パラメータのパラメータ値が、アプリケーションプログラムが開始された後に修正される必要があることが判定されると、そのパラメータ値が修正される必要がある設定パラメータのパラメータ値を減少させるステップを含む。
【００３６】
パラメータ値を増加させるための命令、パラメータ値を減少させるための命令、および、コール命令は、互いに区別される必要がある。たとえば、設定制御のディスプレイエリアにおいて実行される上方スワイプは、パラメータ値を増加させるための命令であり、設定制御のディスプレイエリアにおいて実行される下方スワイプは、パラメータ値を減少させるための命令である。
【００３７】
たとえば、電子メールチェック中、端末設定パラメータにおける唯一の設定パラメータのパラメータ値、すなわち、そのパラメータ値が10秒である自動スクリーンオフをトリガするためのタイムリミットが修正される必要がある。設定制御が、パラメータ値を増加させるための命令を受信すると、あらかじめ設定された関係に従って、自動スクリーンオフをトリガするためのタイムリミットのパラメータ値が増加され、設定制御が、パラメータ値を減少させるための命令を受信すると、あらかじめ設定された関係に従って、自動スクリーンオフをトリガするためのタイムリミットのパラメータ値が減少される。
【００３８】
オプションとして、図3に図示されるように、本開示のこの実施形態において提供される端末設定パラメータ調節方法はさらに、以下のステップを含む。
【００３９】
S301。設定制御が、修正命令を受信した後、パラメータユーザ定義設定スクリーンを表示する。ここで、パラメータユーザ定義設定スクリーンは、端末設定パラメータにおけるものであり、かつそのパラメータ値が、アプリケーションプログラムが開始された後に修正される必要のある設定パラメータと、アプリケーションプログラムが実行している場合に使用されるパラメータ値とを表示する。
【００４０】
修正命令は、コール命令、パラメータ値を増加させるための命令、および、パラメータ値を減少させるための命令から区別でき得るのであれば、修正命令は、設定制御をタップすること、設定制御をダブルタップすること、設定制御にタッチし保持すること、設定制御にタッチすること等であり得る。
【００４１】
S302。パラメータユーザ定義設定スクリーンが、パラメータ値が修正される必要がある設定パラメータのうちの1つの設定パラメータのパラメータ値を受信した後、受信したパラメータ値を、設定パラメータのものであり、かつアプリケーションプログラムが実行している場合に使用されるべきである直近のパラメータ値として使用し、このパラメータ値を保存する。
【００４２】
S303。パラメータユーザ定義設定スクリーンが、終了命令を受信した後、アプリケーションプログラムが実行している場合に使用されるべきパラメータ値の設定を完了できるように、スクリーンを出る。
【００４３】
たとえば、電子メールチェック中、設定制御が修正命令を受信すると、パラメータユーザ定義設定スクリーンにおける設定パラメータは、そのパラメータ値が10秒である自動スクリーンオフをトリガするためのタイムリミットである。パラメータユーザ定義設定スクリーンが、たとえば20秒のような自動スクリーンオフをトリガするためのタイムリミットを受信した後、自動スクリーンオフをトリガするためのタイムリミットは、自動的に20秒へ修正され、自動スクリーンオフをトリガするための修正されたタイムリミットが保存される。すなわち、電子メールチェックのためのパラメータ値が使用されると、電子メールチェック中、自動スクリーンオフをトリガするためのタイムリミットは20秒である。
【００４４】
オプションとして、図4に図示されるように、本開示のこの実施形態において提供される端末設定パラメータ調節方法に従って、パラメータユーザ定義設定スクリーンが表示された後、この方法はさらに、以下のステップを含む。
【００４５】
S401。パラメータユーザ定義設定スクリーンが、追加命令を受信した後、設定パラメータを追加するためのスクリーンを表示する。
【００４６】
S402。設定パラメータを追加するためのスクリーンを使用することによって、第2の設定パラメータおよびパラメータ値を受信し、受信したパラメータ値を、第2の設定パラメータのものであり、かつアプリケーションプログラムが開始された後に取得された直近のパラメータ値として使用する。
【００４７】
S403。第2の設定パラメータと、第2の設定パラメータのものであり、かつアプリケーションプログラムが開始された後に取得された直近のパラメータ値とを保存する。
【００４８】
設定パラメータを追加するためのスクリーンを使用することによって取得された第2の設定パラメータとパラメータ値との両方が保存されるまで、S402およびS403が繰り返し実行される。
【００４９】
S404。設定パラメータを追加するためのスクリーンが、完了命令を受信した後、設定パラメータを追加するためのスクリーンを出る。
【００５０】
たとえば、電子メールチェック中、設定制御が修正命令を受信すると、パラメータユーザ定義設定スクリーンにおける設定パラメータは、20秒である自動スクリーンオフをトリガするためのタイムリミットである。パラメータユーザ定義設定スクリーンを使用することによって追加命令が受信されると、設定パラメータを追加するためのスクリーンが、設定パラメータと、ディスプレイ輝度50%のようなパラメータ値とを受信する。したがって、電子メールチェック中、パラメータ値が修正される必要がある別の設定パラメータが、端末設定パラメータにおけるものであり、かつそのパラメータ値が修正される必要のある1つのオリジナルの設定パラメータ(すなわち、自動スクリーンオフをトリガするためのタイムリミット)に基づいて追加される。2つの設定パラメータは、自動スクリーンオフをトリガするためのタイムリミットと、ディスプレイ輝度である。自動スクリーンオフをトリガするためのタイムリミットのパラメータ値は20秒であり、ディスプレイ輝度のパラメータ値は50%である。
【００５１】
オプションとして、図5に図示されるように、本開示のこの実施形態において提供される端末設定パラメータ調節方法に従って、パラメータユーザ定義設定スクリーンが表示された後、この方法はさらに以下のステップを含む。
【００５２】
S501。パラメータユーザ定義設定スクリーンが削除命令を受信した後、設定パラメータを削除するためのスクリーンを表示する。
【００５３】
S502。設定パラメータを削除するためのスクリーンを使用することによって、削除されるべき設定パラメータを受信する。ここで、削除されるべき設定パラメータは、端末設定パラメータにおけるものであり、かつそのパラメータ値が、アプリケーションプログラムが開始された後に修正される必要のある設定パラメータから削除される必要のある設定パラメータである。
【００５４】
S503。設定パラメータを削除するためのスクリーンを使用することによって受信された削除されるべき設定パラメータを、端末設定パラメータにおけるものであり、かつそのパラメータ値が、アプリケーションプログラムが開始された後に修正される必要がある設定パラメータから削除する。
【００５５】
S504。設定パラメータを削除するためのスクリーンが、完了命令を受信した後、設定パラメータを削除するためのスクリーンを出る。
【００５６】
たとえば、電子メールチェック中、端末設定パラメータにおけるものであり、かつそのパラメータ値が修正される必要がある設定パラメータは、自動スクリーンオフをトリガするためのタイムリミットと、ディスプレイ輝度である。削除命令が、パラメータユーザ定義設定スクリーンを使用することによって受信されると、設定パラメータを削除するためのスクリーンが、ディスプレイ輝度を受信する。したがって、ディスプレイ輝度は、端末設定パラメータにおけるものであり、かつそのパラメータ値が、電子メールチェック中に、修正される必要がある設定パラメータから削除される。したがって、電子メールチェック中、端末設定パラメータにおける唯一の設定パラメータのパラメータ値、すなわち、自動スクリーンオフをトリガするためのタイムリミットは、修正される必要がある。
【００５７】
同じ開示概念に基づいて、本開示の実施形態はさらに、端末設定パラメータ調節装置を提供する。この装置の問題解決原理は、前述した端末設定パラメータ調節方法のものに類似している。したがって、この装置の実施のために、前述した方法の実施を参照されたい。繰り返しの詳細は、再度説明されない。
【００５８】
図6に図示されるように、本開示のこの実施形態において提供される端末設定パラメータ調節装置は、
端末においてアプリケーションプログラムが開始された後、端末のディスプレイエリアに設定制御を表示するように構成されたディスプレイモジュール61と、
設定制御がコール命令を受信した後、第1の設定パラメータの現在のパラメータ値を、第1の設定パラメータのものであり、かつアプリケーションプログラムが実行している場合に使用されるべきである直近のパラメータ値へ修正するように構成された修正モジュール62であって、第1の設定パラメータは、端末設定パラメータにおけるものであり、かつそのパラメータ値が、アプリケーションプログラムが開始された後に修正される必要がある設定パラメータである、修正モジュール62と、
アプリケーションプログラムを出た場合、第1の設定パラメータの現在のパラメータ値を、第1の設定パラメータのものであり、かつアプリケーションプログラムが開始される前に取得されたパラメータ値へ修正するように構成された復元モジュール63とを含む。
【００５９】
オプションとして、復元モジュール63は、特に、アプリケーションプログラムを出た場合、第1の設定パラメータがディスプレイ輝度であれば、あらかじめ設定された輝度調節ステップ値に従って、端末の現在のディスプレイ輝度の輝度値を、端末のものであり、かつアプリケーションプログラムが開始される前に取得されたディスプレイ輝度の輝度値へ調節するように構成される。
【００６０】
オプションとして、図7に図示されるように、本開示のこの実施形態において提供される端末設定パラメータ調節装置はさらに、第1のユーザ定義設定モジュール71を含む。第1のユーザ定義設定モジュール71は、
設定制御が、パラメータ値を増加させるための命令を受信した後、端末設定パラメータにおける唯一の設定パラメータのパラメータ値が、アプリケーションプログラムが開始された後に修正される必要があることが判定されると、パラメータ値が修正される必要がある設定パラメータのパラメータ値を増加させ、または、設定制御が、パラメータ値を減少させるための命令を受信した後、端末設定パラメータにおける唯一の設定パラメータのパラメータ値が、アプリケーションプログラムが開始された後に修正される必要があることが判定されると、パラメータ値が修正される必要がある設定パラメータのパラメータ値を減少させるように構成される。
【００６１】
オプションとして、図8に図示されるように、本開示のこの実施形態において提供される端末設定パラメータ調節装置はさらに、第2のユーザ定義設定モジュール81を含む。第2のユーザ定義設定モジュール81は、
設定制御が、修正命令を受信した後、パラメータユーザ定義設定スクリーンを表示するように構成され、ここで、パラメータユーザ定義設定スクリーンは、端末設定パラメータにおけるものであり、かつそのパラメータ値が、アプリケーションプログラムが開始された後に修正される必要がある設定パラメータと、アプリケーションプログラムが実行している場合に使用されるパラメータ値とを表示し、第2のユーザ定義設定モジュール81はさらに、パラメータユーザ定義設定スクリーンが、パラメータ値が修正される必要のある設定パラメータのうちの1つの設定パラメータのパラメータ値を受信した後、受信したパラメータ値を、設定パラメータのものであり、かつアプリケーションプログラムが実行した場合に使用されるべき直近のパラメータ値として使用し、このパラメータ値を保存するように構成される。
【００６２】
オプションとして、第2のユーザ定義設定モジュール81はさらに、パラメータユーザ定義設定スクリーンが表示され、パラメータユーザ定義設定スクリーンが追加命令を受信した後、設定パラメータを追加するためのスクリーンを表示し、設定パラメータを追加するためのスクリーンを使用することによって、第2の設定パラメータおよびパラメータ値を受信し、受信したパラメータ値を、第2の設定パラメータのものであり、かつアプリケーションプログラムが開始された後に取得された直近のパラメータ値として使用し、受信された第2の設定パラメータと、第2の設定パラメータのものであり、かつアプリケーションプログラムが開始された後に取得された直近のパラメータ値とを保存するように構成される。
【００６３】
オプションとして、第2のユーザ定義設定モジュール81はさらに、パラメータユーザ定義設定スクリーンが表示され、パラメータユーザ定義設定スクリーンが削除命令を受信した後、設定パラメータを削除するためのスクリーンを表示し、設定パラメータを削除するためのスクリーンを使用することによって、削除されるべき設定パラメータを受信するように構成され、削除されるべき設定パラメータは、端末設定パラメータにおけるものであり、かつそのパラメータ値が、アプリケーションプログラムが開始された後に修正される必要がある設定パラメータから削除される必要がある設定パラメータであり、第2のユーザ定義設定モジュール81はさらに、設定パラメータを削除するためのスクリーンを使用することによって受信された、削除されるべき設定パラメータを、端末設定パラメータにおけるものであり、かつそのパラメータ値が、アプリケーションプログラムが開始された後に修正される必要のある設定パラメータから、削除するように構成される。
【００６４】
当業者であれば、本開示の実施形態は、方法、システム、またはコンピュータプログラム製品として提供され得ることを理解すべきである。したがって、本開示は、ハードウェアのみの実施形態、ソフトウェアのみの実施形態、または、ソフトウェアとハードウェアとの組合せの実施形態の形式を使用し得る。それに加えて、本開示は、コンピュータ使用可能なプログラムコードを含む1つまたは複数のコンピュータ使用可能な原始的な媒体(限定されないが、ディスクメモリ、CD-ROM、光学メモリ等を含む)において実施されるコンピュータプログラム製品の形式を使用し得る。
【００６５】
本開示は、本開示の実施形態に従う方法、デバイス(システム)、およびコンピュータプログラム製品のフローチャートおよび/またはブロック図を参照して説明される。コンピュータプログラム命令は、各処理、および/または、フローチャートにおける各ブロック、および/または、ブロック図、および処理の組合せ、および/または、フローチャートにおけるブロック、および/または、ブロック図を実施するために使用され得ることが理解されるべきである。これらコンピュータプログラム命令は、汎用コンピュータ、専用コンピュータ、埋め込まれたプロセッサ、または、マシンを生成するための任意の他のプログラマブルデータ処理デバイスのプロセッサのために提供され得、これによって、コンピュータ、または、他の任意のプログラマブルデータ処理デバイスのプロセッサによって実行される命令が、フローチャートにおける1つまたは複数の処理、および/または、ブロック図における1つまたは複数のブロックにおける特定の機能を実施するための装置を生成できるようになる。
【００６６】
コンピュータまたは他の任意のプログラマブルデータ処理デバイスに対して、特定の方式で動作するように命令し得るこれらコンピュータプログラム命令が、コンピュータ読取可能なメモリに保存され得、これによって、コンピュータ読取可能なメモリに保存された命令は、命令装置を含むアーティファクトを生成できるようになる。命令装置は、フローチャートにおける1つまたは複数の処理、および/または、ブロック図における1つまたは複数のブロックにおける特定の機能を実施する。
【００６７】
これらコンピュータプログラム命令は、コンピュータまたは別のプログラマブルデータ処理デバイスへロードされ得、これによって、一連の動作およびステップが、コンピュータまたは別のプログラマブルデバイスにおいて実行されるようになり、したがって、コンピュータによって実施される処理を生成する。したがって、コンピュータまたは別のプログラマブルデバイスにおいて実行される命令は、フローチャートにおける1つまたは複数の処理、および/または、ブロック図における1つまたは複数のブロックにおいて特定の機能を実施するためのステップを提供する。
【００６８】
本開示のいくつかの好適な実施形態が説明されたが、当業者は、基本的な発明概念を学習すると、これら実施形態に対する変更および修正を行うことができる。したがって、以下の特許請求の範囲は、本開示の範囲内にある好適な実施形態およびすべての変更および修正をカバーするように解釈されることが意図される。
【００６９】
明らかに、当業者は、本開示の実施形態の精神および範囲から逸脱することなく、本開示の実施形態への様々な修正および変形を行うことができ得る。本開示は、以下の特許請求の範囲およびそれらの等価な技術によって定義される保護の範囲内にあるのであれば、これら修正および変形をカバーすることが意図される。
【符号の説明】
【００７０】
61  ディスプレイモジュール
62  修正モジュール
63  復元モジュール
71  第1のユーザ定義設定モジュール
81  第2のユーザ定義設定モジュール
【図１】
2018502374.tif 000003
【図２】
2018502374.tif 000004
【図３】
2018502374.tif 000005
【図４】
2018502374.tif 000006
【図５】
2018502374.tif 000007
【図６】
2018502374.tif 000008
【図７】
2018502374.tif 000009
【図８】
2018502374.tif 000010
【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
端末設定パラメータ調節方法であって、
端末におけるアプリケーションプログラムが開始された後、前記端末のディスプレイエリアに設定制御を表示するステップと、
前記設定制御が、コール命令を受信した後、第1の設定パラメータの現在のパラメータ値を、前記第1の設定パラメータのものであり、かつ前記アプリケーションプログラムが実行している場合に使用されるべきである直近のパラメータ値へ修正するステップであって、前記第1の設定パラメータは、端末設定パラメータにおけるものであり、かつそのパラメータ値が、前記アプリケーションプログラムが開始された後に修正される必要がある設定パラメータである、修正するステップと、
前記アプリケーションプログラムを出た場合、前記第1の設定パラメータの現在のパラメータ値を、前記第1の設定パラメータのものであり、かつ前記アプリケーションプログラムが開始される前に取得された前記パラメータ値へ修正するステップと、を備える方法。
【請求項２】
前記アプリケーションプログラムを出た場合、前記第1の設定パラメータがディスプレイ輝度であれば、前記第1の設定パラメータの現在のパラメータ値を、前記第1の設定パラメータのものであり、かつ前記アプリケーションプログラムが開始される前に取得された前記パラメータ値へ修正するステップは、特に、
あらかじめ設定された輝度調節ステップ値に従って、前記端末の現在のディスプレイ輝度の輝度値を、前記端末のものであり、かつ前記アプリケーションプログラムが開始される前に取得されたディスプレイ輝度の輝度値へ調節するステップを備える、請求項１に記載の方法。
【請求項３】
前記方法はさらに、
前記設定制御が、パラメータ値を増加させるための命令を受信した後、前記端末設定パラメータにおける唯一の設定パラメータのパラメータ値が、前記アプリケーションプログラムが開始された後に修正される必要があることが判定されると、そのパラメータ値が修正される必要がある前記設定パラメータの前記パラメータ値を増加させるステップ、または、
前記設定制御が、パラメータ値を減少させるための命令を受信した後、前記端末設定パラメータにおける唯一の設定パラメータのパラメータ値が、前記アプリケーションプログラムが開始された後に修正される必要があることが判定されると、そのパラメータ値が修正される必要がある前記設定パラメータの前記パラメータ値を減少させるステップを備える、請求項１または２に記載の方法。
【請求項４】
前記方法はさらに、
前記設定制御が、修正命令を受信した後、パラメータユーザ定義設定スクリーンを表示するステップであって、前記パラメータユーザ定義設定スクリーンは、前記端末設定パラメータにおけるものであり、かつそのパラメータ値が、前記アプリケーションプログラムが開始された後に修正される必要がある前記設定パラメータと、前記アプリケーションプログラムが実行する場合に使用されるパラメータ値とを表示する、表示するステップと、
前記パラメータユーザ定義設定スクリーンが、パラメータ値が修正される必要のある前記設定パラメータのうちの1つの設定パラメータのパラメータ値を受信した後、前記受信したパラメータ値を、前記設定パラメータのものであり、かつ前記アプリケーションプログラムが実行している場合に使用されるべき直近のパラメータ値として使用し、前記パラメータ値を保存するステップとを備える、請求項１〜３のいずれか一項に記載の方法。
【請求項５】
前記パラメータユーザ定義設定スクリーンを表示するステップの後、前記方法はさらに、
前記パラメータユーザ定義設定スクリーンが、追加命令を受信した後、設定パラメータを追加するためのスクリーンを表示するステップと、
設定パラメータを追加するための前記スクリーンを使用することによって、第2の設定パラメータおよびパラメータ値を受信し、前記受信したパラメータ値を、前記第2の設定パラメータのものであり、かつ前記アプリケーションプログラムが開始された後に取得された直近のパラメータ値として使用するステップと、
前記受信した第2の設定パラメータと、前記第2の設定パラメータのものであり、かつ前記アプリケーションプログラムが開始された後に取得された前記直近のパラメータ値とを保存するステップとを備える、請求項４に記載の方法。
【請求項６】
パラメータユーザ定義設定スクリーンを表示する前記ステップの後、前記方法はさらに、
前記パラメータユーザ定義設定スクリーンが、削除命令を受信した後、設定パラメータを削除するためのスクリーンを表示するステップと、
設定パラメータを削除するための前記スクリーンを使用することによって、削除されるべき設定パラメータを受信するステップであって、前記削除されるべき設定パラメータは、前記端末設定パラメータにおけるものであり、かつそのパラメータ値が、前記アプリケーションプログラムが開始された後に修正される必要がある設定パラメータから削除される必要がある設定パラメータである、受信するステップと、
設定パラメータを削除するための前記スクリーンを使用することによって受信された前記削除されるべき設定パラメータを、前記端末設定パラメータにおけるものであり、かつそのパラメータ値は、前記アプリケーションプログラムが開始された後に修正される必要のある前記設定パラメータから削除するステップとを備える、請求項４に記載の方法。
【請求項７】
端末設定パラメータ調節装置であって、
端末におけるアプリケーションプログラムが開始された後、前記端末のディスプレイエリアに設定制御を表示するように構成されたディスプレイモジュールと、
前記設定制御が、コール命令を受信した後、第1の設定パラメータの現在のパラメータ値を、前記第1の設定パラメータのものであり、かつ前記アプリケーションプログラムが実行している場合に使用されるべきである直近のパラメータ値へ修正するように構成された修正モジュールであって、前記第1の設定パラメータは、端末設定パラメータにおけるものであり、かつそのパラメータ値が、前記アプリケーションプログラムが開始された後に修正される必要がある設定パラメータである、修正モジュールと、
前記アプリケーションプログラムを出た場合、前記第1の設定パラメータの現在のパラメータ値を、前記第1の設定パラメータのものであり、かつ前記アプリケーションプログラムが開始される前に取得された前記パラメータ値へ修正するように構成された復元モジュールと、を備える装置。
【請求項８】
前記復元モジュールは特に、
前記アプリケーションプログラムを出た場合、前記第1の設定パラメータがディスプレイ輝度であれば、あらかじめ設定された輝度調節ステップ値に従って、前記端末の現在のディスプレイ輝度の輝度値を、前記端末のものであり、かつ前記アプリケーションプログラムが開始される前に取得されたディスプレイ輝度の輝度値へ調節するように構成された、請求項７に記載の装置。
【請求項９】
前記装置はさらに、第1のユーザ定義設定モジュールを備え、前記第1のユーザ定義設定モジュールは、
前記設定制御が、パラメータ値を増加させるための命令を受信した後、前記端末設定パラメータにおける唯一の設定パラメータのパラメータ値が、前記アプリケーションプログラムが開始された後に修正される必要があることが判定されると、そのパラメータ値が修正される必要がある前記設定パラメータの前記パラメータ値を増加させ、または、前記設定制御が、パラメータ値を減少させるための命令を受信した後、前記端末設定パラメータにおける唯一の設定パラメータのパラメータ値が、前記アプリケーションプログラムが開始された後に修正される必要があることが判定されると、そのパラメータ値が修正される必要がある前記設定パラメータの前記パラメータ値を減少させるように構成された、請求項７または８に記載の装置。
【請求項１０】
前記装置はさらに、第2のユーザ定義設定モジュールを備え、前記第2のユーザ定義設定モジュールは、
前記設定制御が、修正命令を受信した後、パラメータユーザ定義設定スクリーンを表示するように構成され、前記パラメータユーザ定義設定スクリーンは、前記端末設定パラメータにおけるものであり、かつそのパラメータ値が、前記アプリケーションプログラムが開始された後に修正される必要がある設定パラメータと、前記アプリケーションプログラムが実行している場合に使用されるパラメータ値とを表示し、前記第2のユーザ定義設定モジュールはさらに、前記パラメータユーザ定義設定スクリーンが、そのパラメータ値が修正される必要のある前記設定パラメータのうちの1つの設定パラメータのパラメータ値を受信した後、前記受信したパラメータ値を、前記設定パラメータのものであり、かつ前記アプリケーションプログラムが実行した場合に使用されるべき直近のパラメータ値として使用し、前記パラメータ値を保存するように構成された、請求項７〜９のいずれか一項に記載の装置。
【請求項１１】
前記第2のユーザ定義設定モジュールはさらに、
前記パラメータユーザ定義設定スクリーンが表示され、前記パラメータユーザ定義設定スクリーンが追加命令を受信した後、設定パラメータを追加するためのスクリーンを表示し、設定パラメータを追加するための前記スクリーンを使用することによって、第2の設定パラメータおよびパラメータ値を受信し、前記受信したパラメータ値を、前記第2の設定パラメータのものであり、かつ前記アプリケーションプログラムが開始された後に取得された直近のパラメータ値として使用し、前記受信した第2の設定パラメータと、前記第2の設定パラメータのものであり、かつ前記アプリケーションプログラムが開始された後に取得された前記直近のパラメータ値とを保存するように構成された、請求項１０に記載の装置。
【請求項１２】
前記第2のユーザ定義設定モジュールはさらに、
前記パラメータユーザ定義設定スクリーンが表示され、前記パラメータユーザ定義設定スクリーンが削除命令を受信した後、設定パラメータを削除するためのスクリーンを表示し、設定パラメータを削除するための前記スクリーンを使用することによって、削除されるべき設定パラメータを受信するように構成され、前記削除されるべき設定パラメータは、前記端末設定パラメータにおけるものであり、かつそのパラメータ値が、前記アプリケーションプログラムが開始された後に修正される必要がある設定パラメータから削除される必要のある設定パラメータであり、前記第2のユーザ定義設定モジュールはさらに、設定パラメータを削除するための前記スクリーンを使用することによって受信された前記削除されるべき設定パラメータを、前記端末設定パラメータにおけるものであり、かつそのパラメータ値が、前記アプリケーションプログラムが開始された後に修正される必要のある前記設定パラメータから削除するように構成された、請求項１０に記載の装置。
【請求項１３】
プロセッサと、
前記プロセッサに結合され、かつ前記プロセッサによる実行のためのプログラム命令を格納する非一時的コンピュータ可読記録媒体とを備えた端末であって、前記プログラム命令が前記プロセッサに、
端末におけるアプリケーションプログラムが開始された後、前記端末のディスプレイエリアに設定制御を表示するステップと、
前記設定制御が、コール命令を受信した後、第1の設定パラメータの現在のパラメータ値を、前記第1の設定パラメータのものであり、かつ前記アプリケーションプログラムが実行している場合に使用されるべきである直近のパラメータ値へ修正するステップであって、前記第1の設定パラメータは、端末設定パラメータにおけるものであり、かつそのパラメータ値が、前記アプリケーションプログラムが開始された後に修正される必要がある設定パラメータである、修正するステップと、
前記アプリケーションプログラムを出た場合、前記第1の設定パラメータの現在のパラメータ値を、前記第1の設定パラメータのものであり、かつ前記アプリケーションプログラムが開始される前に取得された前記パラメータ値へ修正するステップと、
を行うように命令する、端末。
【請求項１４】
1つまたは複数のプログラムを格納する非一時的コンピュータ可読記録媒体であって、前記1つまたは複数のプログラムが、ディスプレイ、メモリ、およびプロセッサを有する端末によって実行された場合、前記端末に請求項１〜６のいずれか一項に記載の方法を行わせる命令を含む、媒体。
【国際調査報告】
2018502374.tif 000011
2018502374.tif 000012
2018502374.tif 000013
2018502374.tif 000014